(57)【特許請求の範囲】
【請求項１】
キャップ本体に形成した係止部と、クリップに形成した鉤部と、を互いに係止することで、キャップ本体にクリップを組み付ける筆記具用キャップであって、
前記係止部は、前記鉤部と係合する外側面と、該鉤部を該外側面にガイドする上面と、を有し、
前記上面は、少なくとも一部にキャップ本体からクリップ側の空間に向かって凸となる傾斜面を有し、
前記鉤部は、前記外側面と係合する１対の縁部を有し、
前記鉤部の前記１対の縁部は、間隔を空けて対向し、
前記係止部と前記鉤部は、前記傾斜面に対して前記１対の縁部を前記キャップ本体の径方向に押圧することにより、該鉤部と該係止部の少なくとも一方の弾性変形を利用して仮止位置に仮止めされ、該仮止位置から前記キャップ本体に前記クリップを係止する係止位置方向に該クリップをスライドさせるのに従って次第に強固に係合するように形成されていることを特徴とする筆記具用キャップ。
【請求項２】
前記係止部には、起立脚の上縁部に歯係止片が外側方に向けて突出形成され、
前記外側面は、前記起立脚に形成され、
前記１対の縁部には、前記起立脚に圧入固着される係合歯が形成され、
前記外側面と前記１対の縁部のうち、いずれか一方をテーパー形状又は段部を形成することを特徴とする請求項１に記載の筆記具用キャップ。
【請求項３】
前記上面に形成される、前記傾斜面は、前記歯係止片の少なくとも一部に形成されることを特徴とする請求項２に記載の筆記具用キャップ。
【請求項４】
キャップ本体に形成した係止部と、クリップに形成した鉤部と、を互いに係止することで、キャップ本体にクリップを組み付ける筆記具用キャップであって、
前記係止部と前記鉤部は、該係止部に該鉤部を仮止めする仮止位置から前記キャップ本体に前記クリップを係止する係止位置方向に該クリップをスライドさせるのに従って次第に強固に係合するように形成され、
前記キャップ本体は、前記係止部を外周面に突設した天冠と、筆記具本体に装着されるキャップ筒と、を有し、
前記天冠は、前記キャップ筒よりも剛性及び耐熱性の高い材質により形成されていることを特徴とする筆記具用キャップ。
【請求項５】
前記係止部には、起立脚の上縁部に歯係止片が外側方に向けて突出形成され、
前記起立脚は、前記鉤部と係合する外側面を形成し、
前記鉤部には、前記起立脚に圧入固着される係合歯が形成され、
前記係合歯は、前記外側面と係合する一対の縁部に形成され、
前記外側面と前記一対の縁部のうち、いずれか一方をテーパー形状又は段部を形成することを特徴とする請求項４に記載の筆記具用キャップ。
【請求項６】
前記係止位置を位置決めする位置決めストッパーが形成されていることを特徴とする請求項１から５のいずれか１項に記載の筆記具用キャップ。
【請求項７】
前記係止部と前記鉤部のうち、少なくとも一方には、クリップの脱抜を阻止する複数の凸部が形成されていることを特徴とする請求項１から６のいずれか１項に記載の筆記具用キャップ。
【請求項８】
キャップ本体に形成した係止部と、クリップに形成した鉤部とを互いに係止させることにより、該キャップ本体と該クリップとを組み付ける筆記具用キャップの組立て方法であって、
前記係止部は、前記鉤部と係合する外側面と、該鉤部を該外側面にガイドする上面と、を有し、
前記上面は、少なくとも一部にキャップ本体からクリップ側の空間に向かって凸となる傾斜面を有し、
前記鉤部は、前記外側面と係合する１対の縁部を有し、
前記鉤部の前記１対の縁部は、間隔を空けて対向し、
前記鉤部を前記傾斜面に対して前記キャップ本体の径方向に押圧することにより、該鉤部と該係止部の少なくとも一方の弾性変形を利用して、該係止部に該鉤部を仮止めする仮止工程と、
前記クリップを、仮止位置からスライドさせるに従って次第に強固に係合固着させることにより、前記キャップ本体と該クリップとを組み付ける係合工程と、を有することを特徴とする筆記具用キャップの組立て方法。
【発明の詳細な説明】
【技術分野】
【０００１】
本発明は、ボールペンや万年筆等の筆記具用キャップ及び筆記具用キャップの組立て方法に関するものである。
【背景技術】
【０００２】
一般に、油性ボールペンや水性ボールペンなど筆記具には、不使用時には筆記部前端を包囲して保護するように着脱自在のキャップが設けられている。
【０００３】
特に、一部の筆記具においては、筆記部のインクが乾燥しないようにその先端部を外気から遮断すべく、キャップで密閉包囲するようにされている。
【０００４】
筆記具用キャップとしては、筆記具等の外周突部に形成された縦穴に該キャップのクリップに設けた係止片部を圧入し、その縦穴を断面略円弧状に形成するとともに、そのクリップの係止片部を断面略矩形状に形成したものがある（例えば、特許文献１参照）。
【特許文献１】実開昭５７−１９３５８７号公報
【発明の開示】
【発明が解決しようとする課題】
【０００５】
しかしながら、上記筆記具用キャップの筆記具への組立て作業では、上記クリップを上記縦穴に所要の挟持力を保有した状態とするため、上記クリップにこれに弾性変形を生じさせるように力を加えながら、上記縦穴にクリップを圧入するという２つの動作を同時に行う必要があり、その組立て作業に熟練を必要とするとともに、小さな部位への多くの力を加える必要があり、組立者の指に掛かる負担が大きい。
【０００６】
また、クリップの断面を弧状にしたものでは、その大きな弾性力に抗して、該クリップを弾性変形させておかなければならず、いずれにしても、それらの組立ての自動化を図ることが困難である。
【０００７】
本発明は、上記従来の問題点に鑑みてなされたものであり、クリップの断面形状に拘わらず、キャップ本体とクリップとの組立てを容易に行うことができるとともに自動化に適し、しかも外観のよい筆記具用キャップとその組立て方法の提供を目的とする。
【課題を解決するための手段】
【０００８】
本発明の第１の要旨は、キャップ本体に形成した係止部と、クリップに形成した鉤部と、を互いに係止することで、キャップ本体にクリップを組み付けた筆記具用キャップであって、前記係止部と前記鉤部は、該係止部に該鉤部を仮止めする仮止位置から該キャップ本体に該クリップを係止する係止位置方向、例えば、該キャップ本体の軸線方向、長手方向等、に該クリップをスライドさせるのに従って次第に強固に係合するように形成されていることを特徴とする筆記具用キャップにある。
【０００９】
本発明の第１の要旨によれば、キャップ本体の係止部にクリップの鉤部を仮止めする仮止位置から、クリップを係止位置方向にスライドさせることにより、キャップ本体にクリップを係止できるので、クリップの断面形状に拘わらず、キャップ本体とクリップとの組み立てを容易に行うことができるとともに、自動化を容易に図ることができる。
【００１０】
本発明の第２の要旨は、前記係止部と前記鉤部は、該係止部に対して該鉤部を前記キャップ本体の径方向に押圧することによる該鉤部と該係止部の少なくとも一方の弾性変形を利用して前記仮止位置に仮止めされるように形成されることを特徴とする要旨１に記載の筆記具用キャップにある。
【００１１】
本発明の第２の要旨によれば、クリップをキャップ本体に押圧するという簡単な動作で、クリップの仮止めを行える。
【００１２】
本発明の第３の要旨は、前記係止部には、起立脚の上縁部に歯係止片が外側方に向けて突出形成され、前記鉤部には、その起立脚に圧入固着される係合歯が形成され、該係止部と該鉤部のうち、いずれか一方をテーパー形状又は段部を形成することを特徴とする要旨１又は２に記載の筆記具用キャップにある。
【００１３】
本発明の第３の要旨によれば、クリップとキャップ本体とをしっかりと係止することができる。
【００１４】
本発明の第４の要旨は、前記係止部は、前記歯係止片の上面の少なくとも一部に、センタリング効果のある傾斜面が形成されることを特徴とする要旨３に記載の筆記具用キャップにある。
【００１５】
本発明の第４の要旨によれば、クリップの鉤部をキャップ本体の係止部に軽く押圧するだけで、容易にセンタリングを行える。
【００１６】
本発明の第５の要旨は、前記係止位置を位置決めする位置決めストッパーが形成されていることを特徴とする要旨１から４のいずれかに記載の筆記具用キャップにある。
【００１７】
本発明の第５の要旨によれば、そのクリップの係止位置を正確に位置決めできる。
【００１８】
本発明の第６の要旨は、前記係止部と前記鉤部のうち、少なくとも一方には、クリップの脱抜を阻止する複数の凸部が形成されていることを特徴とする要旨１から５のいずれかに記載の筆記具用キャップにある。
【００１９】
本発明の第６の要旨によれば、クリップを係止する係止位置方向（例えば、キャップ本体の軸線や長手方向）に沿ってスライドさせるのに従って係止強度を向上できる。
【００２０】
本発明の第７の要旨は、前記キャップ本体は、前記係止部を外周面に突設した天冠と、筆記具本体に装着されるキャップ筒と、を有し、前記天冠は、前記キャップ筒よりも剛性及び耐熱性の高い材質により形成されていることを特徴とする要旨１から６のいずれかに記載の筆記具用キャップにある。
【００２１】
本発明の第７の要旨によれば、組立て性、取付け強度及びスナップフィット性が向上する。
【００２２】
本発明の第８の要旨は、キャップ本体に形成した係止部と、クリップに形成した鉤部とを互いに係止させることにより、該キャップ本体と該クリップとを組み付ける筆記具用キャップの組立て方法であって、前記係止部と前記鉤部は、該係止部に該鉤部を仮止めする仮止位置から、該キャップ本体に該クリップを係止する係止位置方向に該キャップをスライドさせるのに従って次第に強固に係合するように形成されており、前記係止部の前記仮止位置に前記鉤部を係合して仮止めし、そのクリップを、仮止位置から係止位置方向、例えば、該キャップ本体の軸線方向、長手方向等、にスライドさせるに従って次第に強固に係合固着させることにより、該キャップ本体と該クリップとを組み付けることを特徴とする筆記具用キャップの組立て方法にある。
【００２３】
本発明の第８の要旨によれば、キャップ本体の係止部にクリップの鉤部を仮止めする仮止位置から、クリップを係止位置方向にスライドさせることにより、キャップ本体にクリップを係止できるので、クリップの断面形状に拘わらず、キャップ本体とクリップとの組み立てを容易に行うことができるとともに、自動化を容易に図ることができる。
【００２４】
本発明の第９の要旨は、前記係止部には、センタリング効果のある傾斜面が形成され、前記係止部に対し、前記鉤部を、該キャップ本体の径方向に押圧することによる弾性変形を利用して仮止位置に仮止めすることを特徴とする要旨８項に記載の筆記具用キャップの組立て方法にある。
【００２５】
本発明の第９の要旨によれば、その仮止め動作を容易に行える。
【発明の効果】
【００２６】
以上、説明したように本発明の第１〜第９の要旨によれば、キャップ本体の係止部にクリップの鉤部を仮止めする仮止位置から、クリップを係止位置方向にスライドさせることにより、キャップ本体にクリップを係止できるので、クリップの断面形状に拘わらず、キャップ本体とクリップとの組み立てを容易に行うことができるとともに、自動化を容易に図ることができる。
【００２７】
上記第１〜第９の要旨の発明で得られる共通の効果に加え、各要旨に記載の発明によれば次の効果を得ることができる。
【００２８】
本発明の第２記載の要旨によれば、鉤部を係止部に対し、キャップ本体の径方向に押圧するだけで、係止部、及び又は、鉤部の弾性変形によって仮止位置に仮止めするので、その仮止めを容易に行うことができる。
【００２９】
また、クリップを仮止位置から係止位置方向にスライドさせるだけで、キャップ本体とクリップとを係止させることができる。
【００３０】
本発明の第３記載の要旨によれば、キャップ本体の係止部には、起立脚の上縁部に歯係止片が外側方に向けて突出形成され、かつ、クリップの鉤部には、その起立脚に圧入固着される係合歯が形成されており、それら係止部と鉤部のうち、いずれか一方のものをテーパー形にし又は段部を形成しているので、それらクリップとキャップ本体とをしっかりと係止することができる。
【００３１】
本発明の第４記載の要旨によれば、キャップ本体の係止部は、その歯係止片の上面の少なくとも一部に、センタリング効果のある傾斜面が形成されているので、センタリングを容易に行うことができる。
【００３２】
本発明の第５記載の要旨によれば、キャップ本体に対するクリップの係止位置を位置決めする位置決めストッパーを形成しているので、そのクリップの係止位置を正確に位置決めできる。
【００３３】
本発明の第７記載の要旨によれば、キャップ本体を、上記係止部を外周面に突設した天冠と、筆記具本体に装着されるキャップ筒とを有して構成し、それらのうち天冠を、キャップ筒よりも剛性及び耐熱性の高い材質により形成しているので、組立性、取付強度及びスナップフィット性を向上させられる。
【発明を実施するための最良の形態】
【００３４】
［第１の実施の形態］
以下、本発明の第１の実施形態に係る筆記具、筆記具用キャップ、及び筆記具用キャップの組立て方法を、図１〜図４を参照して詳細に説明する。
【００３５】
本実施形態に係る筆記具１は、図１（ａ）、（ｂ）に示すように、筆記具本体２と、別体に構成された筆記具用キャップ３と、を備えている。
【００３６】
前記筆記具本体２は、内部にインクが充填されるインクタンク４と先軸５とを一体に構成されるリフィール部６と、該リフィール部６が装着される後軸７と、該リフィール部６の先端に設けられるペン先部８と、を備えている。
【００３７】
前記後軸７は、前記インクタンク４を収容可能とするとともに、前記リフィール部６に着脱自在に装着可能とするものである。
【００３８】
リフィール部６のインクタンク４は、後軸７により収容される部分であり、先軸５は、後軸７に収容されないペン先部８側の部分を示している。
【００３９】
リフィール部６は、替え芯として機能可能な構成であればよく、インクタンク４と先軸５を別体に形成した後、組立て、係合した構成でもよい。
【００４０】
前記インクタンク４は、透明の樹脂製であって、内部の構成およびインクを視認可能としている。前記先軸５との境界部付近の外周部には、ネジ部４ａが形成され、後軸７が螺着するようになっている。
【００４１】
尚、インクタンク４の透明部分は、少なくともインクタンク４内部のインクを視認可能とする部位にあればよい。
【００４２】
前記ペン先部８は、ペン先８ａと、ペン先支持部９ａ、９ｂを有しており、ペン先８ａがペン先支持部９ａ、９ｂを介して先軸５に組込み、係合されている。従って、リフィール部６とペン先部８とを合せてリフィール（替え芯）とできる。
【００４３】
前記ペン先部８後方の先軸５内には、インク保溜体１０が設けられ、インクを保溜してインク漏れを防止するようになっている。
【００４４】
前記インク保溜体１０は、外周面に多数形成された周溝を保溜溝１０ａとし、この保溜溝１０ａを連通させる縦溝（図示省略）が形成されている。この縦溝はインクタンク４内のインク室１１に通じており、インク室１１内の空気が温度変化等で膨張しインクをインク室１１から押しだそうとしたとき、ペン先部８からインクをボタ落ちさせないように保溜溝１０ａに一時的に溜めるため、インク室１１と保溜溝１０ａ間のインクの通路として機能する。また、縦溝はインク室１１の空気が収縮し元の状態に戻ったときに保溜溝１０ａのインクをインク室１１に戻す機能をなしている。
【００４５】
前記インク保溜体１０の中心部には、軸方向にインク誘導芯挿入孔１２が形成され、このインク誘導芯挿入孔１２にインク誘導芯１３が、該インク誘導芯挿入孔１２の後部（インク室側）で圧入嵌合か又は多少の隙間をもって貫装されている。更に、このインク誘導芯１３の先端は、ペン先部８に接続されてインク室１１のインクをペン先部８に供給するようになっている。
【００４６】
また、インク室１１のインクをペン先部８に供給するインク誘導芯１３を付設させるためのインク誘導芯挿入孔１２が形成されたインク保溜体１０の側面部には、上記インク誘導芯挿入孔１２に連通する通気孔（図示省略）が設けられている。
【００４７】
前記リフィール部６の外形形状は、前記ネジ部４ａを境に前側の先軸５の外径が、インクタンク４の後側部４ｂの外径より大径とした、いわゆる段付き形状を呈している。この段付き部５ａから一部の範囲で先軸５の先端方向に向かい先細りのテーパー状に形成されている。前記ネジ部４ａから後側部４ｂへの形状は、後方に向かいやや先細りのテーパー状に形成されている。
【００４８】
前記後軸７は、透明の樹脂製であって内部に収容されるインクタンク４を視認可能とするとともに、一端部７ａ側が開口形成され、その内側に前記ネジ部４ａに対応する位置にネジ部７ｂが形成されている。
【００４９】
前記一端部７ａは、外径を前記段付き部５ａの外径よりも大径とされている。すなわち、前記一端部７ａにリフィール部６を螺着した状態で、該一端部７ａの外側端部がリフィール部６の外側端部よりも外側に位置するため、キャップ３を装着した時に、該キャップ３の開口端部が前記一端部７ａの開口端部に当接して、いわゆるストッパーの役割を成すようにされている。
【００５０】
よって、キャップ３を筆記具本体２の先軸５側に取り付けた状態では、リフィール部６は該キャップ３と該後軸７に覆われ、該キャップ３と前記後軸７のみが筆記具外形を構成することとなる。
【００５１】
また、前記後軸７は、前記一端部７ａから後端部７ｃに向かいやや先細りの円筒形状の外形を呈しており、その内部にインクタンク４を収容して、該インクタンク４を全周に亘り覆うようにされている。
【００５２】
前記後軸７の後端部７ｃは、閉ざされた略半球状を呈し、その略中央部には該後軸７内部と外部とを連通する通気孔１５が形成されている。
【００５３】
以上説明したように、本実施形態では前記後軸７に収容されるインクタンク４と先軸５とをリフィール（替え芯、取り替え部材）として取り扱うように、一体、或は一体的に形成したので、リフィール部６内の空間部分にインクを収容できるので多くのインクを収容可能となる。
【００５４】
また、ペン先部８もリフィール部６にきつく嵌合するので、ペン先部８のガタツキもない。
【００５５】
また、前記後軸７は、リフィール部６のインクタンク４の外周に係合されるため、該後軸７とリフィール部６との係合が緩んだ場合でも、リフィール部６の先端に取り付けられるペン先部８のガタツキはない。
【００５６】
また、後軸７の開口する一端部７ａの外側端部が、リフィール部６の先軸５側の外側端部よりも同心円状で外側に位置し、キャップ３を装着時の該キャップ３のストッパーの役割を成すようにされている。従って、リフィール部６は該キャップ３と該後軸７に覆われ、該キャップ３と前記後軸７のみが筆記具外形を構成することとなり、また、キャップ３の外径と後軸７の外径の寸法差を小さくできるので、キャップ３を装着した筆記具１の外観がスマートに構成でき、使用し易い筆記具を実現できる。
【００５７】
次に、前記キャップ３について詳細に説明する。
【００５８】
前記キャップ３は、図２、図４（ａ）に示すように、キャップ本体２０と、天冠部２１と、が別体に着脱可能に構成されており、キャップ３内部の天冠部２１側にインナーキャップ２２が配置され、該天冠部２１外側部にはクリップ２３が別体で設けられている。
【００５９】
まず、キャップ３のキャップ本体２０を説明する。
【００６０】
キャップ本体２０は、着色された不透明の樹脂製で、略円筒形状を呈し、一端部に天冠部２１が嵌入される前開口部２０ａ（図１、図２）が形成されるとともに、他端部に前記先軸５の段付き部５ａが嵌入される後開口部２０ｂ（図１）が形成されている。
【００６１】
前記前開口部２０ａの内側には、図２に示すように、天冠部２１を保持固定するための凸形状の天冠部係止部２０ｃとインナーキャップ２２の脱落防止用の凸形状のインナーキャップ係止部２０ｄとが各々円周方向に沿って内側に向かい連続的に設けられている。
【００６２】
また、前記前開口部２０ａの内側には、嵌入される先軸５のペン先側端部５ｂを挟持するための第１の突出部である軸係止部２０ｅが円周方向に沿って２列に（図３）、且つ各々の列に複数箇所で内側に向かい設けられている。
【００６３】
前記軸係止部２０ｅの突出量は、各々の突出した先端部を外接する円（仮想の円）の直径Ｒ１（図２）が、後端部７ｃ側の後軸７の外径Ｒ２（図３）より僅かに小さい寸法となるようにされている。尚、キャップ本体２０は、円の直径Ｒ１と後端部７ｃ側の後軸７の外径Ｒ２の寸法差分だけ歪んでも破損しないようになっていることは言うまでもない。
【００６４】
また、この軸係止部２０ｅと後軸７による歪みの反力によって生じる後端部表面の摩擦力は、コイルスプリング２６のバネ力よりも僅かに大きく設定されている。これにより、筆記具本体２の後軸７にキャップ３を装着した状態でも、キャップ３が後軸７から抜ける方向に受けるコイルスプリング２６のバネ力によりキャップ３が後軸７から抜けることを防いでいる。
【００６５】
一方、前記キャップ３の後開口部２０ｂ（図１）の内径は、前記段付き部５ａの外径よりもやや小径として、筆記具本体２にキャップ３を装着した状態できつい嵌合となるように形成されている。
【００６６】
次に、キャップ３の天冠部２１を、図２、図４（ａ）を参照しつつ説明する。
【００６７】
天冠部２１は、着色された不透明の樹脂製で、先端部２１ａの形状を略半球形状とした略砲弾状とし、他端部２１ｂ側を開口形成するとともに略円筒形状として、その内側を中空にしてインナーキャップ２２が設置されるように形成されている。
【００６８】
前記先端部２１ａは、その内側壁の一部を軸心Ｏ方向に沿って他端部２１ｂ側（後方側）に突出させて、前記インナーキャップ２２のストローク量を規制するともにガイドするストローク規制部であるガイド部２１ｊ（第２の突出部）が形成されている。
【００６９】
前記他端部２１ｂは、円筒状の外径を前記キャップ本体２０の前開口部２０ａの内径と略同寸法に形成されている。前記他端部２１ｂの外周面には、該先端部２１ａが前記キャップ本体２０の前開口部２０ａに嵌入された状態で、該先端部２０ａ内周の前記天冠部係止部２０ｃと対向する位置に、溝、又は切り欠き等からなるノッチ部２１ｎが円周方向に沿って連続的に形成されている。
【００７０】
天冠部２１の外側面には、図２、図４（ａ）に示すように、クリップ２３の縁部が取付けられる取付け面２１ｃと、該クリップ２３を位置決めするためのストッパー部２１ｄと、該クリップ２３と係合するクリップ取付部２１ｅと、天冠部２１外周面に長手方向に凹部を設けて空気通路を形成する凹部２１ｈと、が形成されている。
【００７１】
前記取付け面２１ｃは、クリップ２３が取付けられる取付け面であって、前記天冠部２１の外側部の長手方向略中央に軸心Ｏ方向と略平行にかつ平坦に形成されている。
【００７２】
前記ストッパー部２１ｄは、前記取付け面２１ｃの上側に位置し、クリップ２３の内側面と当接して該クリップ２３を位置決めするためのストッパーであり、前記取付け面２１ｃと略平行に突設されている。
【００７３】
前記クリップ取付部２１ｅは、図４（ａ）〜（ｃ）に示すように、前記取付け面２１ｃの上側に前記ストッパー部２１ｄよりも高く設けた取り付け部であり、取付け面２１ｃからの立ち上がり部分の左右側部に、幅方向に狭まるガイド溝２１ｆが形成されている。
【００７４】
また、前記クリップ取付部２１ｅの略中央部には、図４（ｂ），（ｃ）に示すように、天冠部２１の内側空間部と外部とを連通する通気孔２５が形成されている。前記通気孔２５は、軸心Ｏ方向に長い横（軸心Ｏ方向）断面矩形状を呈している。
【００７５】
クリップ取付部２１ｅは、前記天冠部２１と一体に、或いは前記天冠部２１と別部材で形成してもよい。
【００７６】
前記天冠部２１の外側部には、前記取付け面２１ｃの外周に沿って、クリップ２３を取り付けた天冠部２１の外周輪郭より凹んだ凹部２１ｈが形成されている。
【００７７】
凹部２１ｈは、先端部２１ａ側を軸心Ｏに近く、他端部２１ｂに向うに連れて軸心Ｏから遠くなる。
【００７８】
以上説明したように、前記クリップ取付け部２１ｅの外周に沿って凹部２１ｈを形成することで、誤って筆記具用キャップ３を飲み込んだ場合でも、図４（ｂ）、（ｃ）に示すように前記凹部２１ｈが先端部２１ａ−他端部２１ｂ方向及び先端部２１ａ−通気孔２５方向の空気通路２８を形成するため、天冠部２１の外周部に形成される通気孔２５と合せて通気性の向上を図ることができる。
【００７９】
次に、クリップ２３を詳細に説明する。
【００８０】
クリップ２３は、金属を成形加工したものであり、図１に示すように、全長をキャップ３の全長よりも短く構成している。クリップ２３は、キャップ３へ装着するための取付部２３ａと、該取付部２３ａの他方端の開放端部２３ｂとを有している。
【００８１】
前記取付部２３ａは、図２、図４（ａ）〜（ｃ）に示すように、クリップ取付部２１ｅを覆うとともに、前記取付け面２１ｃの輪郭に合わせて円弧状の縁部を形成している。
【００８２】
さらに、取付部２３ａの縁部のうち、前記クリップ取付部２１eの側壁に対向する縁部には挟持部２３ｃが略Ｌ字断面形状に折り曲げ形成されており、ガイド溝２１ｆに係合可能とされている。従って、取付部２３ａの縁部のうち、該クリップ取付部２１ｅの側壁に対向しない部分は、図４（ｃ）に示すように、軸心Ｏに直角する縦断面で上下反転したＵ字形状（下方に開放したＵ字）に形成されている。
【００８３】
また、取付部２３ａは、前記クリップ取付部２１ｅと対向する部分を側面視で略断面Ｃ字形状（下方に開放したＣ字）に形成されている（図４（ｂ），（ｃ））。
【００８４】
前記クリップ取付部２１ｅにクリップ２３を取付けた状態では、図４（ｂ），（ｃ）に示すように、該クリップ取付部２１ｅと取付部２３ａとの間に隙間を形成して空気通路２４を構成している。空気通路２４は、通気孔２５と天冠部２１とを連通し、また、通気路２５と凹部２１ｈ間を連通している。
【００８５】
次に、天冠部２１内に設けるインナーキャップ２２を説明する。
【００８６】
前記インナーキャップ２２は、図２に示すように、外径を天冠部２１の中空部の内径より小径とする略円筒形状の外形を有し、該インナーキャップ２２の外周壁と前記天冠部２１の内周壁との間に空間をつくり、空気通路２７を形成している。前記空気通路２７は前記通気孔２５を介してキャップ３外部と連通されている。
【００８７】
前記インナーキャップ２２の一端部には、天冠部２１のガイド部２１ｊが挿入されるガイド孔２２ａが形成され、該ガイド孔２２ａにコイルスプリング２６が配置され、一方、インナーキャップ２２の他端部には、ペン先部８が収容される中空部２２ｂが形成されている。
【００８８】
インナーキャップ２２は、開口側端部２２ｃとペン先部８外周の一部が当接する状態で、ペン先８ａがインナーキャップ２２内壁と接触しないように形成されている。
【００８９】
前記ガイド孔２２ａの底部には、ストッパー部２２ｆが開口側に向かい突設されており、キャップ３内にペン先部８が収容された状態で、該ストッパー部２２ｆと前記ガイド部２１ｊとが当接しないように形成されている。
【００９０】
前記インナーキャップ２２の端部２２ｃ側の外周部には、円周方向に沿ってガイド羽２２ｄが複数個突出形成されており、キャップ本体２０の内周壁をガイドにして、インナーキャップ２２の外周壁がキャップ本体２０の内周壁と接することなく、インナーキャップ２２が摺動自在に設置されている。また、隣り合うガイド羽２２ｄの間の空間を空気通路２２ｅとして、インナーキャップ２２内部のキャップ先端２１ａ側と筆記体１側との空間を連通可能にしている。よって、キャップ３の筆記体１側の空間は、空気通路２２ｅ、空気通路２７、通気孔２５、空気通路２４、及び凹部２１ｈを介してキャップ２１前方空間と連通する。
【００９１】
次に、本実施形態による筆記具用キャップの装着について説明する。
【００９２】
筆記具１を使用しない状態では、筆記具１のペン先部８にキャップ３を装着して、ペン先部８が露出した状態で不用意に他を汚さないように、また、ペン先が乾燥しないようにする。
【００９３】
このとき、キャップ３は、図１（ａ）、図２に示すように、後開口部２０ｂが後軸７の一端部７ａと当接した状態で先軸５の段付き部５ａと嵌合するとともに、軸係止部２０ｅにペン先側端部５ｂが嵌合してインクタンク４に装着保持される。キャップ３内のペン先部８は、インナーキャップ２２を天冠部２１方向に押圧した状態で配置されている。
【００９４】
前記インナーキャップ２２は、天冠部２１のガイド部２１ｊと該インナーキャップ２２のストッパー部２２ｆとが当接しない状態（図２）で、コイルスプリング２６によりペン先部８に付勢されている。これにより、開口側端部２２ｃがペン先部８に密着することで、ペン先を中空部２２ｂ内に密閉した状態で収容できる。
【００９５】
一方、筆記具１を使用する場合は、キャップ３を筆記具本体２先端部より外し、該筆記具本体２の後端部に装着して使用する。
【００９６】
このとき、キャップ３は、図１（ｂ）、図３に示すように、軸係止部２０ｅと後端部７ｃ側の後軸７とがきつく嵌合し、かつ、後端部７ｃが中キャップ２２を押圧した状態で後軸７に装着されている。
【００９７】
この時、インナーキャップ２２は、後端部７ｃによりコイルスプリング２６を付勢しながらキャップ３内に押し込まれ、ストッパー部２２ｆが天冠部２１のガイド部２１ｊと当接することで後軸７の後端部の所定位置に装着される（図３）。
【００９８】
上記第１の実施形態によれば、後軸７の一端部７ａの外径をリフィール部６の段付き部５ａの外径よりも大径としたので、キャップ３を装着した時に、一端部７ａの端部に該キャップの端部が当接して、いわゆるストッパーの役割を成し、筆記具本体２にキャップ３を確実に装着することができる。また、キャップ３の外径と後軸７の外径の寸法差を小さくできるので、キャップ３を装着した筆記具１の外観をスマートに構成できるとともに、使用し易い筆記具を実現できる。
【００９９】
また、後軸７の全体又は一部を透明の樹脂製とすることで、該後軸７内部に収容されるインクタンクのインク残量を容易に確認できる。
【０１００】
また、キャップ３を着色された不透明の樹脂製としたので、筆記具未使用時には、先軸５内部の複雑なインク保溜体１０の構造やキャップ３内部のペン先密閉構造をユーザーに見せることのない見栄えの良いデザインの筆記具を実現できる。
【０１０１】
また、インナーキャップ２２の構成を、ガイド孔２２ａの底部にストッパー部２２ｆを開口側に向かい突設し、キャップ３内にペン先部８が収容された状態で（図２）、該ストッパー部２２ｆと前記ガイド部２１ｊとが当接しないように構成した。さらに、インナーキャップ２２の構成を、キャップ３内部に後軸７の後端部７ｃが装着された状態で（図３）、該インナーキャップ２２が後端部７ｃからの押圧力によりコイルスプリング２６を縮小する方向に付勢しながらキャップ３内に押し込まれ、ストッパー部２２ｆが天冠部２１のガイド部２１ｊ（第２の突出部）と当接可能としたので、後軸７の後端部７ｃがキャップ３内部に入り込み過ぎることなく所定位置に装着することができる。
【０１０２】
なお、第１の実施形態では、後軸７を透明な樹脂製で形成して、後軸７内部を視認可能にしているが、例えば、不透明の材料（金属製であってもよい）によって形成されるものであっても良く、この場合、後軸７内部が視認可能な覗き窓を形成してインクタンク内のインク残量を視認できるようにしたものが好ましい。
【０１０３】
また、本実施形態では、キャップ３の構造を、空気通路２４、２１ｆを形成するようにしているが、係るキャップの構造に限定されるものではない。
【０１０４】
また、キャップ本体２０の内側に、第１の突出部である軸係止部２０ｅを突設したことにより、後軸７の外周部に何も形成することなく略円筒形状のままで、すなわち、外観を損ねることなく、簡単な構成でキャップを後軸７の後端部７ｃ側に装着することができる。
【０１０５】
また、前記軸係止部２０ｅを軸方向に沿って２列で形成するとともに、各々の列上に複数箇所で内側に向かい突設したので、２段階で後端部７ｃ側の後軸７を挟持することで、キャップ３装着時のショックを緩和することができ、スムーズな装着を実現できる。
【０１０６】
また、キャップ３内部にコイルスプリング２６を介してインナーキャップ２２を配置して、軸係止部２０ｅと後軸７による歪みの反力によって生じる後端部表面の摩擦力を、前記コイルスプリング２６のバネ力よりも僅かに大きく設定したので、キャップ３装着時にキャップ挟持力がバネ力にまけてキャップ３が外れることなく、確実にキャップを後端部７ｃ側の後軸７に装着することができる。
【０１０７】
尚、本第１の実施形態では、キャップ本体２０の内側に軸係止部２０ｅを軸方向に沿って２列で構成しているが、軸係止部の列数や形状は限定されない。例えば、１列の突出部を構成するようにしたものであっても良い。この構成によれば、キャップ本体の構成をさらに簡単にすることができ、コストの低減を図ることができる。
【０１０８】
また、上記実施形態では、軸係止部２０ｅが後端部７ｃ側の後軸７をきつく嵌合する構成を説明したが、軸係止部２０ｅが後端部７ｃをきつく嵌合する構成ともできる。
【０１０９】
また、インナーキャップ２２の作動手段としてコイルスプリング２６を採用しているが、これに限定するものではない。例えば、キャップ３とインナーキャップ２２との間にゴム材を介在させて、ゴムの弾性によりインナーキャップ２２を動作させるものであっても良い。
【０１１０】
さらに、上述の図示例にのみ限定せず、本発明の要旨を逸脱しない範囲内において種々変更を加え得ることは勿論である。
【０１１１】
［第２の実施の形態］
以下、本発明の第２の実施の形態に係る筆記具、筆記具用キャップ、及び筆記具への筆記具用キャップの組立て方法を、図５〜図１２を参照して説明する。
【０１１２】
図５に示すように筆記具３１は、筆記具用キャップＡと、筆記具本体Ｂとから構成されている。
【０１１３】
前記筆記具本体Ｂは、軸筒３５と円筒形外装体３６とより構成され、円筒形外装体３６に軸筒３５を内挿して互いのねじ部３５ｄ，３６ｂを螺合することで形成される。
【０１１４】
軸筒３５は、ペン先３２を支持部材３３に支持してなるペン先部３４を先端開口３５ａに嵌着するとともに、ペン先部３４側に続く前半部側にインク保留部３５ｂ、これに続く後半部にインクタンク部３５ｃを内設している。また、インクタンク部３５ｃの先端部外周壁面には、ねじ部３５ｄが形成されている。
【０１１５】
円筒形外装体３６は、先端開口３６ａの内周壁面にねじ部３６ｂを形成するとともに、上記軸筒３５の後半部、例えばインクタンク部３５ｃを収容する長さに形成されている。
【０１１６】
筆記具用キャップＡは、図５、図６に示すように、天冠３７とキャップ筒３８とを嵌合してなるキャップ本体３９と、天冠３７とキャップ筒３８の間に設ける中キャップ４９と、キャップ本体３９に取付るクリップ４０と、を有している。天冠３７と、キャップ筒３８と、中キャップ４９と、及びクリップ４０とは、別体に形成されている。
【０１１７】
キャップ筒３８は、先端開口３８ａ（図６）の内周壁面に、天冠３７を係止するための凸形状の冠係止部３８ｂと、中キャップ４９のキャップ本体３９からの脱落を防止するための凸形状の中キャップ係止部３８ｃとが全周にわたり設けられている。
【０１１８】
また、キャップ筒３８の後端開口３８ｄの内周壁面には、軸筒３５のインク保留部３５ｂとインクタンク部３５ｃとの間の段付き部３５ｅに密接する段差部３８ｅが形成されている。
【０１１９】
キャップ筒３８の材質は、比較的やわらかいＰＰ（ポリプロピレン）、ＰＥ（ポリエチレン）、ＰＥТ（ポリエチレン）、ＣＯ‐ＰＥТ（ポリエチレンを主成分とし、他の樹脂（例えばポリシクロヘキサンジメタノール（ＰＣТ））等が比較的多く混入されているもの）、ＡＢＳ、セルロース系樹脂、塩化ビニル、又はＰＭＭＡ（ポリメタクリル酸メチル）等の合成樹脂製のものである。
【０１２０】
天冠３７は、図５〜図９に示すように、膨出部４１の軸心Ｏ方向後端に、キャップ筒３８の先端開口３８ａに嵌挿するための嵌挿筒部４２を突設し、かつ、内部に円筒形の空処αを形成している。
【０１２１】
天冠３７の材質は、ＰＣ／ＰＥТ（ポリカーボネートとポリエチレンテレフタレートとのポリマーアロイ）、ＰＣ／ＡＢＳ（ポリカーボネートとＡＢＳとのポリマーアロイ）、ＡＢＳ、ＰＰ（ポリプロピレン）、ＰＥ（ポリエチレン）、ＰＳ（ポリスチレン）、ＰＥТ（ポリエチレン）、又はＰＭＭＡ（ポリメタクリル酸メチル）等の合成樹脂製のものである。
【０１２２】
空処α内には、天冠３７の先端内壁面に、中キャップ４９を支持するための支持部材４３が、軸心Оに一致して突設されている。
【０１２３】
支持部材４３は、先端側にスプリング５０を係合、取付けるため、外径を小さくした支持軸を形成している。尚、支持部材４３は、軸心Ｏに直交する方向の断面を十字形（図７（ｃ））に形成している。
【０１２４】
膨出部４１は、先端側の頂部に半球形突起４１ａを形成するとともに、後端縁部の外径を、キャップ筒３８の先端開口３８ａの外径に略一致させて形成した外観略砲弾形のものである。また、膨出部４１はその外周面の一部に形成した平坦な取付け面４１ｂに、係止部４４が突設されている。
【０１２５】
嵌挿筒部４２は、上記キャップ筒８の内径に略一致した外径の円筒形に形成されており、その開口縁部の至近位置には、天冠係止部３８ｂと係止するための溝や切り欠きなどのノッチ４２ａが全周にわたり形成されている。
【０１２６】
係止部４４は、クリップ４０を係止する係止部であり、ガイド部材４５と通気孔４６により構成されている。
【０１２７】
一対のガイド部材４５，４５は、外側面を緩やかな鋸歯形に形成した起立脚４５ａ，４５ａと、起立脚４５ａ，４５ａの上縁部に起立脚４５ａ，４５ａよりも外側方に突出形成してガイド部材として機能する一対の歯係止片４５ｂ，４５ｂとを有し、互いに所要の間隔（通気孔４６）を保持しかつ軸心Оに沿って形成されている。
【０１２８】
上記一対のガイド部材４５，４５の構成により、クリップ４０の係合歯５１ａ〜５１ｃが歯係止片４５ｂ，４５ｂに押圧されると、一対のガイド部材４５，４５の弾性作用により歯係止片４５ｂ，４５ｂを越えて起立脚４５ａ，４５ａに係合する。
【０１２９】
すなわち、ガイド部材４５，４５は、径方向γからのクリップ４０の押圧により、弾性力を利用した少ない押圧力により嵌合するワンタッチ嵌合、すなわちスナップフィットによる弱い取付け力で、ガイド部材４５，４５とクリップ４０の仮止めが可能に形成されている。
【０１３０】
起立脚４５ａと歯係止片４５ｂは、通気孔４６に面する内側縁部に対して、外側縁部が、クリップ４０の差込み方向β（図５（ａ）、図４（ａ），（ｂ））の上流側端から下流側端に向けて外側方に離間するように傾設されている（図９（ａ），（ｂ））。換言すると、一対のガイド部材４５，４５は、これの外側縁部が平面テーパー形状に形成されている。
【０１３１】
また、歯係止片４５ｂ，４５ｂは、クリップ１０の差込み方向β（図７）の上流側端から下流側端に向けて厚みが次第に大きくなるクサビ形に形成されている。
【０１３２】
起立脚４５ａの側面には、浅い鋸歯状の突起Ｐが所定間隔毎に複数形成されている（図９（ａ），（ｂ））。
【０１３３】
歯係止片４５ｂの上面４５ｃは、図７（ａ）〜（ｃ）、図９（ａ），（ｂ）に示すように、センタリング効果のある傾斜面が形成されている。すなわち、一対の上面４５ｃ、４５ｃは、図８に示すように、互いの接線ＴＬの交点Ｘがクリップ４０の取付け側の空間、すなわち上面４５ｃの前面側の空間ＦＳ内に位置するような傾斜面に形成されている（図８）。尚、空間ＦＳは、歯係止片４５−４５間の空間である通気孔４６は含まない。
【０１３４】
上面４５ｃは、全面或は一部が、平面或は曲面であればよい。
【０１３５】
例えば、一対の上面４５ｃ、４５ｃが平面の場合には、一対の上面４５ｃ、４５ｃはテーパー形状となり、一対の上面４５ｃ、４５ｃが曲面の場合には、略上下反転したＵ字状、或はアーチ形状（略下方開口Ｃ字状）を形成することとなる。もちろん、一対の上面４５ｃ、４５ｃは、一方が平面で他方が曲面でも、センタリング効果を発揮することができる。
【０１３６】
通気孔４６は、天冠３７内の空処αと外部とを連通する横断面・縦断面共に略矩形の通気孔であり、上記ガイド部材４５−４５の間に、それらガイド部材４５とほぼ同じ長さにして形成されている。
【０１３７】
ストッパー４７は、係止部４４に組み付けられるクリップ４０を位置決めするための位置決めストッパーであり、それは、上記係止部４４に係合されるクリップ４０の鉤部（フック）４０ａ（図１０（ａ）〜（ｃ））の先端部内壁面に当接する長さにした平面Ｕ字形のものであり、ガイド部材４５，４５の先端部側（突起４１ａ側）の取付け面４１ｂ上に突設されている。
【０１３８】
凹陥部４８は、係止部４４の周囲に形成した凹陥部であり、取付け面４１ａを囲繞する所要の領域に形成されている。
【０１３９】
中キャップ４９は、図５、図６に示すように、前記天冠３７の空処αの内周壁面との間に余裕空間を残す外径を有する略円筒形に形成された本体４９ａと、本体４９ａの後端縁部外周面上に等角度間隔に設けられ、前記キャップ筒３８の内周壁面に当接する外径を形成する複数の突片４９ｂ…と、から構成されている。よって、中キャップ４９は天冠７内で軸心Оに沿って摺動可能に形成されている。
【０１４０】
本体４９ａの内部は、仕切り壁４９ｃによってスプリング収容空処４９ｄとペン先収容空処４９ｅとに区画されている。先端部側のスプリング収容空処４９ｄには、前記支持部材４３に嵌装されるスプリング５０が収容され、また、後端部側のペン先収容空処４９ｅには、これに突入された前記ペン先部３４を保持するように形成されている。
【０１４１】
クリップ４０は、図１０（ａ）〜（ｃ）に示すように、キャップ本体３９の係止部４４に係合するための鉤部４０ａを先端部に形成するとともに、その鉤部４０ａより後端部側に細長い挟持部４０ｂを形成した金属製のものであり、その詳細な構成は次の通りである。
【０１４２】
鉤部４０ａは、図９、図１１に示すように、上記位置決めストッパー４７と係止部４４とを同時に覆う容積を有し、かつ平面Ｕ字形にした下端縁部の対向する両側縁部に沿い、鋸刃形にした３つの係合歯５１ａ〜５１ｃ、５１ａ〜５１ｃを互いに対向させて列設している。それら係合歯５１ａ〜５１ｃ、５１ａ〜５１ｃは、これらの歯先を結ぶ仮想線О１，О１（図１１）どうしが、差込み方向β（図６）上流側において交差する関係にしている。換言すると、係合歯５１ａ〜５１ｃ、５１ａ〜５１ｃどうしは、それらの歯先が、差込み方向β上流側端から下流側端に向けて互いの間隔が次第に広くなる平面テーパー状に列設されている。
【０１４３】
挟持部４０ｂは、図１０に示すように、差込み方向β上流側端から下流側端に向けて次第に幅狭になる断面下向きＣ字形に形成されており、それの後端部には、挟持用玉部４０ｃが、上記鉤部４０ａの下端面とほぼ同一平面上に位置する関係にして下向きに突設されている。
【０１４４】
次に、前述した筆記具用キャップＡの組立て作業について説明する。
【０１４５】
まず、図９（ａ）に示すように、天冠３７の係止部４４に対し、クリップ４０の先端部側内壁面が、位置決めストッパー４７からストローク距離Ｓだけ離間した仮止め位置Ｐ１において、クリップ４０の鉤部４０ａをなす係合歯５１ａ〜５１ｃ、５１ａ〜５１ｃを、係止部４４のガイド部材４５，４５の上面に当接させて押圧する。
【０１４６】
径方向γ（図７（ａ）〜（ｃ））からクリップ４０を天冠３７に仮止めすると、挟持用玉部４０ｃ等が邪魔にならず、自動機による組み立てを行う際に有効である。
【０１４７】
その径方向γに加えられる押圧力に従って、ガイド部材４５，４５は互いに近接する方向に弾性変形し、係合歯５１ａ〜５１ｃ，５１ａ〜５１ｃが歯係止片４５ｂ，４５ｂの下側に移動して、起立脚４５ａ，４５ａの外側面に係合した状態になり、ガイド部材４５，４５は、弾性変形前の起立姿勢に復帰する。これにより、クリップ４０が天冠３７に、すなわちキャップ本体３９に仮止めされた状態になる。
【０１４８】
次に、仮止めされている上記クリップ４０を、ガイド部材４５，４５に沿って、これの軸方向の差込み方向β（図９（ａ），（ｂ））上流側端から下流側端に向けて押動するのに従って、係合歯５１ａ〜５１ｃ，５１ａ〜５１ｃとガイド部材４５，４５との係合強度が次第に増加しながら、ガイド部材４５，４５の差込み方向β上流側端から下流側端に向けて移動する。そして、鉤部４０ａの先端部内壁面が位置決めストッパー４７に当接して、図９（ｂ）に示すように、所期の係止位置Ｐ２に位置決めされる。
【０１４９】
係止位置Ｐ２では、図９（ｂ）に示すように、係合歯５１ａ〜５１ｃ，５１ａ〜５１ｃが起立脚４５ａの側面に設けた浅い鋸歯状の突起Ｐに係合し、クリップ４０が仮止め位置Ｐ１方向へ移動するのを防いでいる。
【０１５０】
起立脚４５ａに突起Ｐがなくても係合歯５１ａ〜５１ｃ，５１ａ〜５１ｃがクリップ４０の仮止め位置Ｐ１方向への移動を防止できれば、設ける必要はない。突起Ｐを設ける場合には、１以上設けることでクリップ４０の仮止め位置Ｐ１方向への移動を防止できる。
【０１５１】
本実施形態に係る筆記具用キャップによれば、キャップ本体３９にクリップ４０を組み付ける際、そのクリップ４０の鉤部４０ａをガイド部材４５，４５に押圧する動作と、該クリップ４０をそれらガイド部材４５，４５に沿ってスライドする動作とを時系列的に前後して順次行えばよいものである。
【０１５２】
また、クリップ４０の係止部４４への取付け方向は、軸方向の差込み方向βに限定するものではなく、係止位置Ｐ２に向かう方向であれば良い。例えば、クリップ４０を軸方向の差込み方向βに対して所定角度の方向に押動するのに従って、係合歯５１ａ〜５１ｃ，５１ａ〜５１ｃとガイド部材４５，４５との係合強度が次第に増加しながら係止位置Ｐ２に位置決めされるように構成してもよい。
【０１５３】
なお、本発明は本実施形態に限るものではなく、その要旨の範囲内で様々な変形実施が可能である。
【０１５４】
上記においては、係合歯５１ａ〜５１ｃとガイド部材４５の双方を、いわば平面テーパー形状に構成したものを一例として説明したが、係合歯又はガイド部材のいずれか一方を平面テーパー形状に形成すればよい。
【０１５５】
上記においては、係合歯５１ａ〜５１ｃを複数形成したものを一例として説明したが、少なくとも１つの係合歯を形成すればよい。
【０１５６】
上記においては、キャップ本体３９の係止部４４には、起立脚４５ａの上縁部に歯係止片４５ｂが外側方に向けて略テーパー形状に突出形成され、かつ、クリップ４０の鉤部４０ａには、その歯係止片４５ｂに圧入固着される係合歯５１ａ〜５１ｃを形成したが、歯係止片４５ｂと係合歯５１ａ〜５１ｃの形状を逆に形成してもよい。
【０１５７】
すなわち、形成歯係止片４５ｂに係合歯５１ａ〜５１ｃを形成し、鉤部４０ａをテーパー状の形状に形成しても、上記と同様の作用効果を奏する。
【０１５８】
上記キャップ筒３８は、フィット感をやわらかくすし、且つ、嵌合による耐久性向上のため、ＰＰ（ポリプロピレン）、ＰＥ（ポリエチレン）、ＣО‐ＰＥТ（ＰＥТが主成分で、他の樹脂（例えば、ポリシクロヘキサンジメタノール（ＰＣТ）））やゴム分を含んだ材質等、剛性の低い又は耐熱性の低い材質を採用するとよい。
【０１５９】
天冠３７としては、装飾を目的として追加されることが多いが、本実施形態では、キャップ筒３８よりも、剛性や耐熱性が高いＰＣ（ポリカーボネート）、ＡＢＳ、ＰＥТ（ポリエチレン）、ＰＣ／ＰＥТ（ポリカーボネートとポリエチレンテレフタレートとのポリマーアロイ）、ＰＣ／ＡＢＳ（ポリカーボネートとＡＢＳとのポリマーアロイ）等の合成樹脂を採用することで、クリップ４０の取付け強度アップや抜止め力の向上が図れるとともに、径方向γへのスナップフィット性や差込み方向βへの押圧による固定に関して非常に有効である。
【０１６０】
上記においては、キャップ本体３９の係止部４４を弾性変形させる例について説明したが、クリップ４０の鉤部４０ａを弾性変形させて、ワンタッチ嵌合を実現してもよく、また、キャップ本体３９の係止部４４とクリップ４０の鉤部４０ａの双方を弾性変形させて、ワンタッチ嵌合を実現してもよい。
【０１６１】
尚、係止部４４は、一対のガイド部材４５，４５にて形成しているが、１つのガイド部材で形成してもよく、また、通気孔４６（空間）を形成しなくてもよい。すなわち、係止部４４は、互いの接線ＴＬの交点Ｘがクリップ４０の取付け側の空間となる傾斜面よりなる上面を有していればよく、１或は２以上の複数の上面から構成できる。
【０１６２】
ただし、係止部４４に通気孔４６等の空間を設けると、係止部４４の弾性変形が容易となると共に、通気孔４６を設けるとキャップ本体の通気を確保でき、効率的なキャップを構成できる。
【産業上の利用可能性】
【０１６３】
本発明は、キャップ本体とクリップ部分を別体で構成し、キャップ本体とクリップ部分を結合することでできる筆記具用キャップに適している。
【図面の簡単な説明】
【０１６４】
【図１】図１の（ａ）は本発明の本実施形態に係る筆記具の全体の構成を示す説明図、（ｂ）は前記筆記具を使用する状態の構成を示す説明図である。
【図２】図２は、前記筆記具のキャップをペン先部に装着した状態のペン先部付近の構成を示す詳細断面図である。
【図３】図３は、前記筆記具のキャップを筆記具の後端部に装着した状態の後端部の構成を示す詳細断面図である。
【図４】図４の（ａ）は前記筆記具のキャップの天冠部の構成を示す側面図、（ｂ）は（ａ）のＡ１−Ａ２矢視断面図、（ｃ）は（ａ）のＢ１−Ｂ２矢視断面図である。
【図５】図５は、本発明筆記具用キャップの一実施形態を筆記具本体のペン先部側に装着した筆記具の全体構成を示す説明図である。
【図６】図６は、同上の筆記具用キャップの拡大断面図である。
【図７】図７は、同上の筆記具用キャップの天冠を示すものであり、（ａ）はその側面図、（ｂ）は（ａ）のＣ１−Ｃ２矢視断面図、（ｃ）は（ａ）のＤ１−Ｄ２矢視断面図である。
【図８】図８は、歯係止片１５ｂの上面１５ｃの説明図である。
【図９】図９の（ａ）はキャップ本体にクリップを仮止めした状態を示す平面図、（ｂ）はそのクリップを嵌合し終えた状態を示す平面図である。
【図１０】図１０の（ａ）はクリップの平面図、（ｂ）はその側面図、（ｃ）はその下面図である。
【図１１】図１１は、図１０に包囲線Ｅで示す部分の拡大図である。
【図１】
0004584274.tif 000002
【図２】
0004584274.tif 000003
【図３】
0004584274.tif 000004
【図４】
0004584274.tif 000005
【図５】
0004584274.tif 000006
【図６】
0004584274.tif 000007
【図７】
0004584274.tif 000008
【図８】
0004584274.tif 000009
【図９】
0004584274.tif 000010
【図１０】
0004584274.tif 000011
【図１１】
0004584274.tif 000012